(57)【要約】【課題】本発明は、容易に取り付け、ロックできる住宅用分電盤の配線覆い取り付け構造を提供することを目的とする。【解決手段】本発明に係る住宅用分電盤の配線覆い取り付け構造は、配線覆い２を支持する覆い立て３の先端には覆い立てツメ５を設け、覆い立てツメ５は配線覆い２の少なくとも四隅に設けた貫通孔４から突出させ、貫通孔４周縁の少なくとも下部二カ所にはロック機構６を設け、配線覆い２を箱体に装着することを特徴とする。【選択図】　　　　図１
2004147413.tif 000002
【特許請求の範囲】
【請求項１】
主幹ブレーカや分岐ブレーカ等の電気機器を箱体に載置し、該箱体の前面開口を前記電気機器の操作ハンドル等が突出可能な突出孔を設けた配線覆いで被覆して成る住宅用分電盤において、前記配線覆いを支持する覆い立ての先端には覆い立てツメを設け、該覆い立てツメは前記配線覆いの少なくとも四隅に設けた貫通孔から突出させ、該貫通孔周縁の少なくとも下部二カ所に設けたロック機構によって、前記配線覆いを箱体に装着することを特徴とする住宅用分電盤の配線覆い取り付け構造。
【請求項２】
前記住宅用分電盤において、前記配線覆いの取り付け構造に用いられるロック機構は、ケースにスプリングを取り付けると共に、該スプリングによって前記ケースへ押し戻しできるボタン部を取り付け、前記配線覆いの貫通孔から突出させた前記覆い立てツメを前記ボタン部に引っ掛けることで、前記配線覆いを前記箱体に固定可能とすることを特徴とする請求項１に記載の住宅用分電盤の配線覆い取り付け構造。
【発明の詳細な説明】
【０００１】
【発明の属する技術分野】
本発明は、主幹ブレーカや分岐ブレーカ等の電気機器を箱体に載置し、箱体の前面開口を電気機器の操作ハンドルが突出可能な突出孔を設けた配線覆いで被覆して成る住宅用分電盤に関する。
【０００２】
【従来の技術】
従来技術における配線覆い取り付け構造には、特開平９−１０３００４号に示されるようなものがあった。配線覆い３１には貫通孔３２を設け、覆い立て３３には回転可能な脱着つまみ３４を設けていた。例えば貫通孔３２を長穴形状とし、脱着つまみ３４も貫通孔３２に対向させて長穴形状に形成し、配線覆い３１の貫通孔３２を脱着つまみ３４に対向させ挿入し前面開口を被覆し、脱着つまみ３４を回転させて向きを変えロックしていた。
【０００３】
【発明が解決しようとする課題】
しかしながら、上記従来技術における配線覆い取り付け構造では、少なくとも４カ所の貫通孔に同時に脱着つまみを挿入しなくてはならないので、位置あわせが困難であったり、開口を被覆した後のロックの作業が面倒であるというような欠点があった。また、脱着つまみを回転させて配線覆いをロックするため、輸送中の振動で脱着つまみが回転してしまい、配線覆いが外れてしまう虞があった。
【０００４】
【課題を解決するための手段】
そこで本発明は、容易に取り付け、ロックできる住宅用分電盤の配線覆い取り付け構造を提供することを目的とし、その構造は、配線覆いを支持する覆い立ての先端には覆い立てツメを設け、覆い立てツメは配線覆いの少なくとも四隅に設けた貫通孔から突出させ、貫通孔周縁の少なくとも下部二カ所にはロック機構を設け、配線覆いを箱体に装着することを特徴とする。
【０００５】
配線覆いの取り付け構造に用いられるロック機構は、ケースにスプリングを取り付け、該スプリングによってケースへ押し戻しできるボタン部を取り付け、配線覆いの貫通孔から突出させた前記覆い立てツメをボタン部に引っ掛けることにより、配線覆いを箱体に固定可能とすることを特徴とする。
【０００６】
【発明の実施の形態】
本発明に係る住宅用分電盤の配線覆い取り付け構造は、配線覆いを支持する覆い立ての先端には覆い立てツメを設けている。配線覆いには、覆い立てツメに対向する位置に貫通孔を設けている。住宅用分電盤の上側は、覆い立てツメを貫通孔に挿通し、覆い立てツメで係止する。下側のみロック機構により固定し、箱体に配線覆いを装着する。
【０００７】
また、住宅用分電盤の下側に設けられるロック機構は、ケースにスプリングを取り付けこのスプリングによってケースへ押し戻しできるボタン部を取り付ける。配線覆いを取り付けるときには、上側の貫通孔を覆い立てツメに引っ掛けた後、下側の覆い立てツメを配線覆いの貫通孔に挿通し、ケースへ差し込む。ケースへ差し込むと鉤状の覆い立てツメがケース内部の引っ掛け部に係止される。また、配線覆いを取り外す場合には、ボタン部を下側から押し、覆い立てツメの係止を解除しケースから覆い立てツメを抜く。
【０００８】
【実施例】
本発明に係る住宅用分電盤配線覆い取り付け構造の実施例を図１〜図２の添付図面に基づいて説明する。
【０００９】
住宅用分電盤は、箱体に主幹ブレーカや分岐ブレーカ等の電気機器を配置し、箱体の前面は、電気機器の操作ハンドル等が突出できる突出孔１を有する配線覆い２で被覆する。配線覆い２は、箱体に取り付けられた覆い立て３により支持される。本発明は配線覆い２の取り付け構造に関する。
【００１０】
配線覆い２には、少なくとも上側二カ所、下側二カ所、合計４カ所の貫通穴４を設ける。覆い立て３の先端には、鉤状に形成した覆い立てツメ５を取り付ける。また、下側の貫通孔４ａには配線覆い２のロック機構６を設ける。
【００１１】
配線覆い２の箱体への取り付けは、配線覆い２の上側の貫通孔４ｂを上側の覆い立てツメ６の係止部に対向させ、配線覆い２を引っ掛けるように位置決めをする。その後、下側の貫通孔４ａをストッパー７を介して下側の覆い立てツメ５に貫通させる。覆い立てツメ５がロック機構６に係止され、配線覆い２を箱体に装着することができる。
【００１２】
本発明の請求項２に係る住宅用分電盤の配線覆い取り付け構造の実施例を図３〜図５の添付図面に基づいて説明する。
【００１３】
配線覆い２には、少なくとも上側二カ所、下側二カ所、合計４カ所の貫通穴４を設ける。覆い立て３の先端には、鉤状に形成した覆い立てツメ５を取り付ける。また、下側の貫通孔４ａには配線覆い２のロック機構６を設ける。
【００１４】
ロック機構６は、ケース８と、ケース８に取り付けられるスプリング９と、スプリング９によってケース８へ押し戻しできるボタン部１０を取り付けて構成される。
【００１５】
配線覆い２の箱体への取り付けは、配線覆い２の上側の貫通孔４ｂを上側の覆い立てツメ５に対向させ、配線覆い２を引っ掛けるように位置決めをする。その後、下側の貫通孔４ａをストッパー７を介して下側の覆い立てツメ５に貫通させる。覆い立てツメ５がボタン部１０を引き上げながらロック機構６に挿入され、配線覆い２を押し切った状態で覆い立てツメ５がボタン部１０に係止され、配線覆い２を箱体に取り付けることができる。
【００１６】
また、配線覆い２を取り外すには、ボタン部１０を下方より押し上げる。押し上げることにより、覆い立てツメ５とボタン部１０との係止が解除され、ボタン部１０が覆い立てツメ５を押し配線覆い２が前面にせり出す。ボタン部１０をはなすと配線覆い２は係止が外れた状態で保持される。
【００１７】
【発明の効果】
以上述べたように、本発明に係る住宅用分電盤の配線覆い取り付け構造は、配線覆いを支持する覆い立ての先端には覆い立てツメを設け、覆い立てツメは配線覆いの少なくとも四隅に設けた貫通孔から突出させ、貫通孔周縁の少なくとも下部二カ所にはロック機構を設け、配線覆いを箱体に装着するため、配線覆いの取り付け作業が簡略化し、作業性を向上させることができる。また、輸送時等の振動に対して外れにくくなる。
【００１８】
また、配線覆いの取り付け構造に用いられるロック機構は、ケースにスプリングを取り付け、該スプリングによってケースへ押し戻しできるボタン部を取り付け、配線覆いの貫通孔から突出させた覆い立てツメをボタン部に引っ掛けることによって、配線覆いを箱体に固定可能とするため、配線覆いの取り付け作業が簡略化し、作業性を向上させることができる。また、輸送時等の振動に対して外れにくくなる。そして、ロック機構を外した状態でも、上側の配線覆いツメで配線覆いは覆い立てに引っ掛かっているため、高所など、作業性の悪いところでも、安全、確実に作業を行うことができる。
【図面の簡単な説明】
【図１】本発明に係る住宅用分電盤の配線覆い取り付け構造を示す正面図である。
【図２】図１における側面図である。
【図３】図１におけるＡ部の拡大分解斜視図である。
【図４】本発明に係る配線覆い取り付け状態を示す説明図である。
【図５】本発明に係る配線覆いを取り外す状態を示す説明図である。
【図６】従来技術における住宅用分電盤の配線覆い取り付け構造を示す正面図である。
【図７】図６における側面図である。
【図８】図６におけるＢ部拡大斜視図である。
【符号の説明】
１　　　突出孔
２　　　配線覆い
３　　　覆い立て
４　　　貫通孔
５　　　覆い立てツメ
６　　　ロック機構
７　　　ストッパー
８　　　ケース
９　　　スプリング
１０　　ボタン部
【図１】
2004147413.tif 000003
【図２】
2004147413.tif 000004
【図３】
2004147413.tif 000005
【図４】
2004147413.tif 000006
【図５】
2004147413.tif 000007
【図６】
2004147413.tif 000008
【図７】
2004147413.tif 000009
【図８】
2004147413.tif 000010